(57)【要約】      （修正有）【課題】印象材注入経路を作製するための個別な手段又は工程を必要とせず、歯科補正印象を効果的に作製可能な、容易に取り扱える歯科印象作製装置の提供。【解決手段】装置１００は、冠、ブリッジ及びその他の歯科補綴物を次に製造するための歯科印象を作製するのに用いられる。該装置１００は、顎に含まれる歯の残根又は尖出体２１についてのいわゆる注入補正印象を作製する役割を果たす。該装置１００は、印象材を収容するための内部を有する注入補正印象トレイ１１０を含む。トレイ１１０は、底面開口部を含む。該装置１００は、上面と突起部を有する底板１２０を更に含む。底板１２０をトレイ１１０に連結可能にするが、突起部１８をトレイ１１０内部に突出させて、補正印象材のための注入経路１５を形成するようにして、これを行う。【選択図】図３
2007068998.tif 000002
【特許請求の範囲】
【請求項１】
歯科印象作製用装置であり、以下の
注入補正印象トレイ（１１０）であって、前記注入補正印象トレイ（１１０）は印象材（５）を収容するよう設計及び配置した内部（１７）を有し、また底面開口部（１）を含む、前記注入補正印象トレイ、及び
底板（１２０）であって、前記底板（１２０）は上面及び突起部（１８）を有し、該突起部（１８）を前記上面に配置し、前記底板（１２０）を、前記注入補正印象トレイ（１１０）に、前記突起部（１８）が前記注入補正印象トレイ（１１０）の内部（１７）に突出して、補正印象材（３）のための注入経路（１５）を形成するように、連結可能に設計及び配置する、前記底板（１２０）、
を備えることを特徴とする歯科印象作製用装置。
【請求項２】
前記底板（１２０）を反転底板（１９）として設計し、前記底板（１９）には下面を有し、該下面を前記上面と反対に配置し、おおよそ平坦に設計し、前記反転底板（１９）を前記注入補正印象トレイ（１１０）に、前記底面開口部（１）を前記平坦な下面によって閉鎖するようにして連結可能に設計及び配置することを特徴とする請求項１に記載の歯科印象作製用装置。
【請求項３】
前記突起部（１８）と前記底板（１２０）を１ピースとして設計することを特徴とする請求項１又は請求項２に記載の歯科印象作製用装置。
【請求項４】
前記突起部（１８）と前記底板（１２０）を、個別の要素として、連結可能及び分離可能に設計することを特徴とする請求項１又は請求項２に記載の歯科印象作製用装置。
【請求項５】
前記突起部（１８）と前記底板（１２０）を、１ピースとして設計し、前記装置（１００）には、第２底板を更に備え、前記第２底板は平面を有し、前記注入補正印象トレイ（１１０）に、前記底面開口部（１）を前記平面によって閉鎖するように、連結可能に設計及び配置することを特徴とする請求項１に記載の歯科印象作製用装置。
【請求項６】
前記底板（１２０）は、注入開口部（７、１４）を含み、該注入開口部（７、１４）を補正印象材（３）を前記注入補正印象トレイ（１１０）の内部（１７）に導入するように、設計及び配置することを特徴とする請求項１から請求項５の少なくとも１つに記載の歯科印象作製用装置。
【請求項７】
前記底板（１１０）には、複数の脱気経路（４０）を含み、該脱気経路（４０）を、陰圧を前記補正印象トレイ（１１０）の内部（１７）で発生可能に設計及び配置し、該陰圧の結果補正印象材（３）を前記注入補正印象トレイ（１１０）の内部（１７）に、前記注入開口部（７、１４）を介して吸引することを特徴とする請求項６に記載の歯科印象作製用装置。
【請求項８】
前記注入補正印象トレイ（１１０）はトレイ把持部（１６）を含む、及び／又は前記底板（１２０）は把持部（１１）を含むことを特徴とする請求項１から請求項７の少なくとも１つに記載の歯科印象作製用装置。
【請求項９】
前記底板（１２０）を反対側顎用印象底板として設計し、該反対側顎用印象底板は、前記注入補正印象トレイ（１１０）から見て外方に向く下面を有し、前記反対側顎用印象底板は、反対側顎の印象を作製するための印象材を収容するよう設計及び配置するチャンバを含み、該チャンバを前記下面に配置することを特徴とする請求項１から請求項８の少なくとも１つに記載の歯科印象作製用装置。
【請求項１０】
前記反対側顎用印象底板及び前記チャンバを、１ピースとして、又は別々の要素として、連結可能及び分離可能に設計することを特徴とする請求項９に記載の歯科印象作製用装置。
【請求項１１】
前記注入補正トレイ（１１０）は本体（２）を有し、固着用装置（１０）を含み、該固着用装置（１０）を、前記底板（１２０）を前記本体（２）に固定して連結させるように、設計及び配置することを特徴とする請求項１から請求項８の少なくとも１つに記載の歯科印象作製用装置。
【請求項１２】
前記注入補正印象トレイ（１１０）を正面注入補正印象トレイとして設計し、前記正面注入補正印象トレイは、前記底面開口部（１）に繋がる近心正面注入開口部（７）を含むことを特徴とする請求項１から請求項１１の少なくとも１つに記載の歯科印象作製用装置。
【請求項１３】
少なくとも１つの剛性化要素（２２）であって、前記底面開口部（１）の内側と外側を連結するように設計及び配置する前記剛性化要素（２２）を更なる特徴とする請求項１から請求項１２の少なくとも１つに記載の歯科印象作製用装置。
【請求項１４】
複数の出口弁（５０）であって、前記脱気経路（４０）に、及び前記注入補正印象トレイ（１１０）の内部（１７）で陰圧を発生させるための陰圧発生源に、連結可能に設計及び配置する前記出口弁（５０）を更なる特徴とする請求項７から請求項１２の少なくとも１つに記載の歯科印象作製用装置。
【発明の詳細な説明】
【関連出願の相互参照】
【０００１】
本出願では、同時係属のドイツ国特許出願公開第ＤＥ  １０  ２００５  ０４２  ０１３．３号、発明の名称『Abformloffel fur zahnprothetische Injektionskorrekturabformung』（２００５年９月２日出願）に対する優先権について主張するものである。
【技術分野】
【０００２】
本発明は、概して歯科印象を作製する装置に関する。より詳しくは、本発明は歯を含む顎についての注入補正印象を作製する装置に関する。本装置には、印象材を充填するための内部を有するトレイを含む。
【０００３】
歯を含む顎の印象は、冠、ブリッジ及びその他の歯科補綴物を後に製造するために採得される。本明細書に記述する一般的な技術は、いわゆる注入補正印象技法である。この技法には、少なくとも、一次印象を作製する工程、及び二次印象（“補正”印象）を作製する工程を含む。第１工程では、印象を第１高粘性印象材で作製する。別の工程では、補正印象を作製する。同工程中、低粘性補正印象材を補正材料として使用し、第１工程中に接近不可能であった歯の部分についての印象を作製する。このために、補正印象材をトレイ内部に、及び該トレイ内部に在る一次印象に注入する。
【背景技術】
【０００４】
歯を含む顎の注入補正印象を作製する装置については、一般的に、当該技術分野で知られている。そうした装置には、印象材を収容するためのチャンバを形成する底面と側面を有するトレイを含む。トレイには高粘性印象材を含むが、該トレイを患者の口腔内に挿入して、患者が口を閉じると、それにより歯が印象材に入る。このようして、一次印象を、第１高粘性印象材で作製する。印象材が硬化した後に、トレイを患者の口腔から撤去する。次に、硬化した印象材を部分的に除去して、次の工程で使用する補正印象材用の注入経路を作製する。トレイを、その後その患者の口腔内の同じ位置に再度入れ、低粘性補正印象材を該注入経路に、及び高粘性印象材を使用した第１工程中に接近不可能だったトレイ内の部分に注入する。こうした既知の装置及び該装置で実施する方法では、唾液、血液、空気、乱流、及び舌、チークバンド等の他の解剖学的影響のため、欠陥のある印象になる可能性がある。そうした欠陥が原因で、繰返し印象を作製する必要がある、又は不十分な補綴結果となるかも知れない。このように、既知の方法は時間がかかり、ストレスを感じ、高価で、手間がかかるものである。
【０００５】
歯を含む顎の注入補正印象を作製する装置については、ドイツ国実用新案第ＤＥ  ２００  １０  ４０３  Ｕ１号及び第ＤＥ  ２９９  ２０  ２２６  Ｕ１号に対応する米国特許第ＵＳ  ６，３９８，５５０  Ｂ１号から既知である。類似の装置については、ドイツ国実用新案第ＤＥ  ２０３  ０８  ４１３  Ｕ１号から既知である。この既知の装置には、印象材を収容するための内部を有する注入補正印象トレイを含む。該トレイには、そこに印象材を導入する閉鎖した底面を含む。更には、キャスティング経路用型を、トレイに挿入可能である。キャスティング経路用型を、一次印象作製後に取り外し、その結果得た注入経路を使用して補正印象を次に作製する。
【０００６】
歯を含む顎の注入補正印象を作製する別の装置については、ドイツ国実用新案第ＤＥ  ２０１  ０５  １７６  Ｕ１号から既知である。この装置には、印象材を収容するための内部を有する注入補正印象トレイを含む。該トレイには、底面開口部を有する。この装置には更に、底板を含み、該底板をトレイに連結させて底面開口部を閉鎖するよう設計及び配置している。この底板は平坦な上面を有しており、該上面はトレイ内部に面する。一次印象を作製後、底板をトレイから取り外し、手で印象材部分を除去して、補正印象練薬用の注入経路を作製し、該練薬を後に注入経路から導入可能にしている。
【０００７】
歯を含む顎の印象を作製する他の装置については、ドイツ国実用新案第ＤＥ  ２００  ２１  ８５４  Ｕ１号、米国特許第ＵＳ  ６，３９４，８０２  Ｂ１号及びドイツ国特許出願公開第ＤＥ  １９６  ０８  ５４６  Ａ１号から、既知である。
【発明の開示】
【０００８】
本発明は、冠、ブリッジ及びその他の歯科補綴物を次に製造するための歯科印象を作製する装置に関する。本装置は、顎に含まれる歯についての注入補正印象を作製する役割を果たす。本装置は、印象材を収容するための内部を有する注入補正印象トレイを含む。トレイは、底面開口部を含む。本装置は、上面と突起部を有する底板を更に含む。底板はトレイと連結可能であるが、突起部をトレイ内部に突出させて、補正印象材のための注入経路を形成するようにして、これを行う。
【０００９】
この新規な装置では、歯科補正印象を、容易に取り扱える可能性のある装置を用いて、効果的に作製可能である。該新規な注入補正トレイは、既知のトレイと同様な方法で取り扱える可能性があり、そのためこの新規な装置の使用法はユーザにとってより簡単になることが考えられる。この新規な装置では、注入経路を作製するための、個別な手段又は工程を必要としない。注入経路を、突起部を底板の一部として又は、底板に連結させて作製する。
【００１０】
この新規な装置は、トレイ及び底板を含む。顎の曲線とおおよそ一致する形状を有する底面開口部を、トレイ本体に配置する。トレイ底部の末端部分では、底面開口部を、トレイ底部の縁部に関して十分な距離を取り配置して、注入補正印象トレイの捻れ安定性を確保する。トレイ底部は、トレイを底板と連結して底面開口部を被覆する手段を含む。
【００１１】
底板はその上面でトレイの底面開口部に面しており、該底板には突起部を含むが、該突起部を、底板をトレイに連結させる際に、トレイ内部に突出するように設計及び配置する。底板を反転使用可能な底板として設計した場合、即ち底板をトレイに、２つの異なる位置で連結可能とした場合には、その反対側の下面をおおよそ平面に設計する。最初の印象を作製する間、突起部はプレースホルダーとして、空いた注入経路を形成する役割を果たし、該注入経路から補正印象材を後でトレイに、第２印象工程、即ち補正印象工程中に、圧入する。言い換えると、底板の突起部（又は輪郭）によって、最初の印象材がこの領域に入るのを防止する。通常、突起部の形状は、トレイの弧の形状とおおよそ一致させる。好適には、突起部は、底板の上側表面を上方向に向けて見ると、逆Ｕ字型又はＶ字型の断面を有する。いわゆるシュペーの彎曲(curve of Spee)及びウィルソンの彎曲(curve of Wilson)も突起部の設計において実現可能であり、該突起部を、必要な口の開口角度を減少するように、縮小して設計することもできる。
【００１２】
反転使用可能な底板については、トレイ底部にある底面開口部を、底板の平面だけでなく、底板の突起部を含む上側表面でも閉鎖可能に設計及び配置する。このために、底板を矢状軸周りに約１８０°回転させる。底板によってトレイ底部をその突起部で閉鎖すると、突起部がトレイ内部に突出する。突起部の高さは、側歯及び前歯の其々咬合面及び先端部が、最初に印象を作製する間、突起部の背と接触してもよいように、選択する。
【００１３】
突起部の設計に関して多数の異なる可能性が存在する。例えば、以下の設計が可能である。
‐突起部を、底板の片側のみに配置する（即ち、左側又は右側に配置して、患者の顎の左側及び右側と対応させるようにする）。
‐突起部を、遠心方向に、片側で短くするよう設計する。
‐突起部を、遠心方向に、両側で短くするよう設計する。
‐突起部を、近心方向に拡大させて、トレイの壁部に接触するように設計する。
【００１４】
上述した突起部に関する第１、第２及び第３の設計例の場合、突起部を注入開口部に連結させる。好適には、注入開口部を底板の近心部分に配置する。補正印象材を、注入開口部を通して注入経路に圧入する。
【００１５】
注入開口部を、円錐形にして、注入経路への補正印象材の導入を向上させるよう設計してもよい。このように、補正印象材の導入を、注入経路に連結する注射針をより適合し易くして、簡易にする。出口弁を使用して陰圧を発生させると、こうした設計に注入開口部をした結果、注入開口部を空気密閉して閉鎖できる。
【００１６】
好適には、脱気用開口部を底板に配置する。脱気用開口部によって、空気、唾液、血液及び余剰な補正印象練薬を、補正印象の作製中に、トレイ内部から排出できる。
【００１７】
好適には、脱気用経路を出口弁と関連させる。出口弁は脱気用経路と組み合せて、補正印象を採得する際に、陰圧を印象に関する領域で発生させる役割を果たす。出口弁を、脱気用経路に底板の外面で連結させて後、補正印象を低粘性の補正印象材で採得する。出口弁は、空気を、脱気経路上に配置する出口弁の弁足から、陰圧の発生源に連結させた弁頭に向かう方向に通過させるよう設計する。例えば、該陰圧の発生源を、歯科医が使用する歯科治療装置である吸引装置としてもよい。出口弁について特定の範囲で制御してもよい、又は、出口弁を自由に制御可能なように設計してもよい。
【００１８】
底板を、反転使用可能な底板として、該底板には突起部を含む表面の反対側に平面を含むように設計してもよい。多様な異なる実施例の反転使用可能な底板が可能である。例えば、それらには以下の設計を含む。
‐反転使用可能な底板を、トレイの外形内に配置するよう設計する。
‐反転使用可能な底板には把持部を含み、該把持部をトレイの把持部外形内に配置するよう設計する。
‐反転使用可能な底板には把持部を含み、一方でトレイには把持部を含まない。反転使用可能な底板の把持部は、トレイの把持部としての機能も果たす。
【００１９】
底板と突起部を、1ピース、２ピース又は複数ピースとして設計してもよい。多様な実施例が可能である。例えば、これらの実施例には、以下の構成を含む。
‐底板と突起部を、１ピースとして設計する。
‐突起部と底板を２つの独立したピースとして設計する場合、突起部と底板を着脱可能な方法で、例えばプラグ連結、磁石等によって、連結可能に設計する。
‐突起部と底板を２つ以上のピースとして設計する場合、突起部を複数の区分体として設計してもよい。
【００２０】
このように、様々な構成の突起部を、突起部の区分体の配置を変化させることによって実現してもよい。例えば、これには、突起部の区分体を底板の左側又は右側のみに配置する構成、又は突起部の区分体を遠心方向に片側又は両側で短くする構成を含む。
【００２１】
底板及び突起部を、様々な材料製としてもよい。例えば、それらを金属製又はプラスチック製としてもよい。底板と突起部を複数ピースとして設計する場合、底板と突起部とで異なる材料製とすることが可能である。
【００２２】
印象トレイを、完全に底板から突起部を取り外した後に、従来の印象トレイとして使用してもよい。
【００２３】
簡易に補正印象練薬を注入補正印象トレイの内部に導入するために、特にトレイを使用して上顎についての印象を作製する際には、注入口をトレイの近心壁に配置するのが理に適っている。トレイに関するそのような実施例を、正面注入補正印象トレイと呼ぶことも出来る。底面開口部を拡大して、トレイの近心底部に及びトレイの近心壁にまで延在させ、それにより該底面開口部で正面注入開口部を形成する。対応するように、底板の突起部を、トレイの近心壁に適合させるように拡大する。突起部の近心部分を、それがトレイの近心壁の開口部を閉鎖するように設計する。
【００２４】
この新規な装置の底板は片側に突起部を含む。前述したように、底板を反転使用可能な底板として設計した場合、底板の他側を平坦に設計して、底板をその回転した位置でトレイに連結させてもよい。別な実施例では、この装置には反転させた底板の代わりに使用する平面を有する第２底板を含む。反転させた底板及び平面を有する第２底板を其々使用して、トレイの底面開口部を、補正印象材を注入経路に導入する間、閉鎖する。
【００２５】
底板を反対側顎印象用底板として設計し、該底板には印象材を収容するチャンバを含み、患者の反対側の顎についての印象を作製するよう設計してもよい。このように、１つの装置で患者の両顎についての印象を作製可能である。このために、反対側顎用底板を、それを反転使用可能な方法でトレイ本体に連結するように設計する。
【００２６】
反対側顎用底板の下側表面に配置した突起部は、正面に突起部を設けた反転使用可能な底板の突起部と類似する形状、設計及び配置を有する。突起部を、反対側顎用底板から着脱可能に設計する。適当な位置に脱気経路を配置可能である。反対側には、反対側顎用印象底板が側壁を含み、該側壁で、弧形を有して、反対側顎についての印象を採得するための印象材を収容する役割を果たす経路を形成する。
【００２７】
同時に第１顎及び反対側顎の一次印象を採得するための本装置の機能的条件としては、反対側顎用印象底板をトレイ本体に、その突起部がトレイ内部に突出するようにして、連結する。正面反対側顎用印象底板の経路及び注入補正印象トレイの内部を印象材で充填し、それらを患者の口腔に挿入し、両顎を動かして印象材に入れ、印象が硬化するまで、維持する。印象が硬化した後に、本装置を患者の口腔から撤去し、反対側顎用印象底板をトレイ本体から取り外し、突起部を取り外し、注入経路と処理領域との間を連結させ、反対側顎用印象底板を再びトレイ本体に連結させる。反対側顎用印象底板の表面には突起部を含んではおらず、この時点では該表面が注入経路の外面となっている。本装置を、その後患者の口腔に再び入れる。歯及び両顎の顎構造を、印象内に支持し、それらで本装置の位置を安定させる。続いて、比較的低粘性を有する補正印象材を、注入経路に及び補正印象を作製する部分に、注入開口部を通して導入する。補正印象材が硬化した後、トレイ本体内の印象を充填して補正印象模型を作製し、反対側顎用印象底板の経路にある印象を充填して反対側顎の模型を作製する。
【００２８】
反対側顎用印象材を収容する経路及び反対側顎用印象底板を、１ピースとして又は複数ピースとして設計してもよい。後者の例では、該経路は底板の平面に又はトレイに反転可能に連結可能な外面を有する。
【００２９】
トレイ本体の安定性を増大させるために、トレイには１つ又は複数の剛性化要素を含んでもよい。剛性化要素を、底面開口部の内側と外側を連結するように設計する。剛性化要素はトレイ内部に、底面開口部から適当な位置で突出する。剛性化要素の設計及び配置は、その位置での突起部の断面と対応させる。このように、剛性化要素も突起部を支持する役割を果たす。
【００３０】
本発明の他の特徴及び効果については、当業者には、以下の図面及び詳細な説明を検討すれば、明白になろう。全ての更なる特徴及び効果については、本発明の範囲内で、請求項により定義したように、本明細書に含むことを意図する。
【発明を実施するための最良の形態】
【００３１】
本発明について、以下の図面を参照して、一層理解可能である。図面中の構成要素は必ずしも縮尺比に従って縮尺しておらず、むしろ重点を本発明の原理の明確な説明に重点を置いている。図面中、同じ参照番号は対応する部品について、数枚の図を通じて、示している。
【００３２】
次に、図面をより詳細に参照して、図１から図３により、歯科印象を作製する本新規な装置１００の第１の典型的実施例について説明する。図示した本新規な装置１００の典型的実施例を使用して、患者の上顎に含まれる歯２１の印象を作製する。しかしながら、この装置１００を使用して、下顎の、又は両顎の印象を採得してもよい。装置１００には、図１で説明する注入補正印象トレイ１１０及び図２で説明する底板１２０を含む。底板１２０の注入補正印象トレイ１１０における装着位置について、図３で説明している。
【００３３】
注入補正印象トレイ１１０には、本体２及びトレイ把持部１６を備える。本体２には、側壁及び底面を含み、これらで、通常、印象材を収容する役割を果たす注入補正印象トレイ１１０の内部１７を形成する。特に、その印象材を最初の印象材５とし、該印象材は一次歯科印象を採得する役割を果たす。底面開口部１を、注入補正印象トレイ１１０の底面にある領域に配置する。底面開口部１は通常、注入補正印象トレイ１１０の弧及びその印象を作製する顎の弧に対応する形状を有する。図示した典型的実施例では、底面開口部１には３つの独立した部分を含み、それによりトレイ１１０の下側表面の材料で剛性化要素２２を形成し、該要素をトレイ１１０の側壁間に延在させて、トレイ１１０の安定性を高める。しかしながら、底面開口部１については、多様な異なる設計を有してもよい。トレイ１１０には、更に連結要素１０を含むが、該連結要素１０は底板１２０をトレイ１１０に連結する役割を果たす。図示した実施例では、トレイ１１０を正面注入補正印象トレイ１１０として設計している。このトレイ１１０には、正面注入開口部７を含み、該開口部は補正印象材３をトレイ１１０の内部１７に導入する役割を果たす。トレイ１１０は脱気経路４も備える。
【００３４】
特に図２で見られるように、底板１２０は通常、トレイ１１０に関して記述したように、顎の曲線に対応する同様な外形を有する。底板１２０は、把持部１１を含んでもよい。しかしながら、底板１２０は把持部を含まず、及び／又は、トレイ１１０はトレイ把持部１６を含まないことも可能である。底板１２０は突起部１８を含む。突起部１８を、底板１２０の残材で１ピース又は複数ピースとして製作してもよい。突起部１８を底板１２０の上面に配置し、それにより該突起部は図２の図面から外側に向けて、上方向に、延在する。図示した典型的実施例では、突起部１８は正面部分９を含む。底板１２０は更に、トレイ１１０の連結要素１０に連結する役割を果たす連結要素３０を含む。底板１２０は、脱気経路４０を含み、該脱気経路４０はトレイ１１０の脱気経路４と、以下に記述するように、協働する。
【００３５】
装置１００の第１装着位置では、底板１２０を注入補正印象トレイ１１０に連結させるが、突起部１８を注入補正印象トレイ１１０の内部１７に突出させて注入経路１５を形成して、補正印象材３を後に装置１００に導入できるようにして、これを行う。装置１００のこの第１装着位置では、最初の印象材５で充填した装置１００を、患者の口腔内に挿入する。患者の歯を印象材５に入れるが、印象を作製する部分の外側領域で変位させ、それにより印象材５が注入補正印象トレイ１１０の本体２と底板１２０との間の間隙部を密封するようにして、これを行う。印象材５がその後硬化すると、装置１００を患者の口腔から撤去する。次に、冠、ブリッジ又は他の歯科補綴物を準備する歯を、研磨して、図３で図示した歯の残根又は尖出体２１を得る。
【００３６】
次の工程では、底板１２０を注入補正印象トレイ１１０から取り外す。準備する歯の残根２１と注入経路１５との間に位置する印象材５を除去する。図示した典型的実施例では、底板１２０を、反転底板１９として設計しており、該底板１９をその矢状軸の周りに約１８０°回転させて、その回転させた位置でトレイ１１０に再連結させている。しかしながら、反転底板１９を使用しないことも、代わりに第２底板をトレイ１１０に連結させることも可能である。いずれにしろ、底板１２０を次にトレイ１１０に関して、突起部が全くトレイ１１０の内部１７に面しないように配置する。底板１２０はトレイ１１０の内部１７に、平面で面しており、この時該平面で注入経路１５の外側限界を形成するが、該注入経路１５は突起部１８によってトレイ１１０での底板１２０の第１位置において既に作製されているものである。注入開口部７は、この時点で補正印象材３の導入に関して自由に利用可能である。
【００３７】
図４及び図５では、本新規な装置１００の別の典型的実施例について説明している。全ての共通な特徴に関しては、上記を参照するものとする。この例では、トレイ１１０の底面開口部１を、連続した経路として設計している。底板１２０を反転可能で、注入開口部１４を含むよう設計している。
【００３８】
図６では、新規な装置１００の出口弁５０の典型的実施例について説明している。好適には、出口弁５０を底板１２０に配置した脱気経路４０に連結させる。出口弁５０には、弁足５１、弁体５２及び弁頭５３を含む。それらによって、脱気経路４、４０及び出口弁５０を通過して装置１００から排出できるようそれらを設計及び配置する。陰圧の発生源（例えば、歯科用機器の吸引装置）を、出口弁５０の弁頭５３に連結する。装置１００を再び患者の口腔に入れ、歯２０及び顎構造を、最初の印象材５による印象内で、安定させて支持する。最初の印象の縁部で、気密及び湿気密閉シールを形成する。補正印象材３を付与する装置の注入針を、注入開口部７又は１４にしっかりと連結する。このように、最初の印象内に配置した中空スペースを、気密に閉鎖する。吸引装置により、この中空スペースに陰圧を発生させ、その結果補正印象材３を供給する装置によって提供した補正印象材３が、中空スペースに吸引される。液状の補正印象材３は注入経路１５を流れ、歯の残根２１に到達する。補正印象材３で、最初の印象の歯の全体形状と準備した歯の残根２１との間の中空スペースが充填され、該補正印象材は歯肉縁下の処理領域内にも流入する。空気、血液、唾液及び余剰印象材の残余を装置１００から、脱気経路４、４０及び出口弁５０を介して、補正印象材３を制御した方法で更に導入することによって、除去する。補正印象材３の硬化後、装置１００を患者の口腔から撤去し、この印象を使用して、一般に当該技術分野で知られるように、冠、ブリッジ及びその他の歯科補綴物を製作するための模型の型を取る。
【００３９】
多くの変形及び変更を、本発明の好適な実施例に対して、本発明の精神及び原理から本質的に逸脱することなく、これを実施してもよい。そのような全ての変更及び変形については、本発明の範囲内で、請求項で定義したように、本明細書に含むことを意図する。
【図面の簡単な説明】
【００４０】
【図１】本新規な装置の注入補正印象トレイに関する第１の典型的実施例の平面図である。
【図２】本新規な装置の底板に関する第１の典型的実施例の平面図である。
【図３】図１のトレイと図２の底板の装着位置での本新規な装置に関する典型的実施例の横断面図である。
【図４】本新規な装置の注入補正印象トレイの第２の典型的実施例の平面図である。
【図５】本新規な装置の底板に関する第２の典型的実施例の平面図である。
【図６】本新規な装置の出口弁に関する典型的実施例の側面図である。
【符号の説明】
【００４１】
１          底面開口部
２          本体
３          補正印象材
４、４０    脱気経路
５          印象材
７、１４    注入開口部
９          正面部分
１０        連結要素
１１        把持部
１５        注入経路
１６        トレイ把持部
１７        内部
１８        突起部
１９        底板
２１        歯の残根又は尖出体
５０        出口弁
５１        弁足
５２        弁体
５３        弁頭
１００      装置
１１０      トレイ
１２０      底板
【図１】
2007068998.tif 000003
【図２】
2007068998.tif 000004
【図３】
2007068998.tif 000005
【図４】
2007068998.tif 000006
【図５】
2007068998.tif 000007
【図６】
2007068998.tif 000008
【外国語明細書】
Apparatus for Producing Dental Impressions
CROSS REFERENCE TO RELATED APPLICATIONS
This application claims priority to co-pending German Patent Application No. DE 10 2005 042 013.3 entitled "Abformloffel fur zahnprothetische Injektionskorrekturabformung", filed September 02, 2005. 
FIELD OF THE INVENTION
The present invention generally relates to an apparatus for producing dental impressions.  More particularly, the present invention relates to an apparatus for producing injection correction impressions of a jaw including teeth.  The apparatus includes a tray having an interior to be filled with an impression material. 
The impressions of the jaw including teeth are taken for the subsequent manufacture of crowns, bridges and other dental prostheses.  The general technique described herein is the so called injection correction impression technique.  This technique includes at least the steps of producing a first impression and of producing a second impression (the "correction" impression).  In the first step, an impression is produced with a first high-viscosity impression material.  In another step, a correction impression is produced.  During this step, a low-viscosity correction impression material is used as a correction material to produce an impression of portions of the teeth which were not accessible during the first step.  For this purpose, the correction impression material is injected into the interior of the tray and into the first impression located therein.  
BACKGROUND OF THE INVENTION
An apparatus for producing injection correction impressions of a jaw including teeth is generally known in the art.  The apparatus includes a tray which has a bottom side and side surfaces forming a chamber for containing impression material.  The tray including a high-viscosity impression material is introduced into the mouth of the patient, and the patient closes his mouth such that the teeth enter the impression material.  In this way, a first impression is produced with the first high-viscosity impression material.  After hardening of the impression material, the tray is removed from the mouth of the patient.  Next, the hardened impression material is partly removed to produce an injection channel for a correction impression material to be used in a following step.  The tray is then reintroduced into the mouth of the patient in the same position, and a low-viscosity correction impression material is injected into the injection channel and into portions within the tray which were not accessible during the first step using the high-viscosity impression material.  The known apparatus and method conducted therewith may lead to defective impressions due to saliva, blood, air, turbulences and other anatomic influences such as the tongue, the cheek bands and so forth.  Such defects may result in the necessity of having to repeat the production of the impression or to insufficient prosthetic results.  Thus, the known method is time consuming, stressful, expensive and takes a lot of work.  
An apparatus for producing injection correction impressions of a jaw containing teeth is known from US Patent No. US 6,398,550 B1 corresponding to German Gebrauchsmuster DE 200 10 403 U1 and DE 299 20 226 U1.  A similar apparatus is known from German Gebrauchsmuster DE 203 08 413 U1.  The know apparatus includes an injection correction impression tray having an interior for containing an impression material.  The tray includes a closed bottom side into which an impression material is introduced.  Furthermore, a casting channel mould can be inserted into the tray.  The casting channel mould is removed after having produced the first impression, and the injection channel resulting therefrom is used for the following production of the correction impression.  
Another apparatus for producing an injection correction impression of a jaw including teeth is known from German Gebrauchsmuster DE 201 05 176 U1.  The apparatus includes an injection correction impression tray having an interior for containing an impression material.  The tray has a bottom opening.  The apparatus further includes a bottom plate being designed and arranged to be connected to the tray to close the bottom opening.  The bottom plate has a plain top side which faces the interior of the tray.  After having produced the first impression, the bottom plate is removed from the tray to be capable of manually removing parts of the impression material to produce an injection channel for a correction impression mass to be later introduced through the injection channel.  
Other apparatuses for producing impressions of a jaw including teeth are known from German Gebrauchsmuster DE 200 21 854 U1, US Patent No. US 6,394,802 B1 and German Patent Application No. DE 196 08 546 A1.  
SUMMARY OF THE INVENTION
The present invention relates to an apparatus for producing dental impressions for the subsequent manufacture of crowns, bridges and other dental prostheses.  The apparatus serves to produce injection correction impressions of teeth contained in a jaw.  The apparatus includes an injection correction impression tray having an interior for containing impression material.  The tray includes a bottom opening.  The apparatus further includes a bottom plate having a top side and a protrusion.  The bottom plate is connectable to the tray in a way that the protrusion protrudes into the interior of the tray to form an injection channel for a correction impression material.
With the novel apparatus, it is possible to effectively produce dental correction impressions with an apparatus which may be easily handled.  The novel injection correction tray may be handled in a similar way as known trays which simplifies usage of the novel apparatus for the user.  The novel apparatus does not require separate means or steps for producing an injection channel.  The injection channel is produced by the protrusion being part of the bottom plate or being connected thereto.  
The novel apparatus includes a tray and a bottom plate.  A bottom opening having a shape approximately corresponding to the curve of the jaw is arranged in the body of the tray.  In the distal tray bottom portion, the bottom opening is located at a sufficient distance with respect to the edge portion of the bottom of the tray to ensure torsional stability of the injection correction impression tray.  The bottom of the tray includes a means for connection of the tray with the bottom plate to cover the bottom opening.  
The bottom plate at its top side facing the bottom opening of the tray includes a protrusion being designed and arranged to protrude into the interior of the tray when the bottom plate is connected to the tray.  In case the bottom plate is designed as a reversible bottom plate, meaning it can be connected to the tray in two different positions, its opposing bottom side is designed to be substantially plain.  During production of the initial impression, the protrusion serves as a placeholder to form a free injection channel through which the correction impression material is later pressed into the tray during the second impression step, meaning the correction impression step.  In other words, the protrusion (or the profile) of the bottom plate prevents initial impression material from entering this region.  Generally, the shape of the protrusion approximately corresponds to the shape of the arc of the tray.  Preferably, the protrusion has an inverted U-shaped or V-shaped cross section as seen when the top surface of the bottom place faces in an upward direction.  It is also possible to realize the so called curve of Spee and the curve of Wilson in the design of the protrusion, and to design it to diminish in a way to reduce the required opening angle of the mouth.  
The reversible bottom plate is designed and arranged to be capable of closing the bottom opening in the bottom of the tray with its plain surface as well as with its top surface including the protrusion.  For this purpose, it is rotated about 180° about its sagital axis.  When the bottom plate closes the bottom of the tray with its protrusion, the protrusion protrudes into the interior of the tray.  The height of the protrusion is chosen such that the occlusion surfaces and the cutting edges, respectively, of the lateral teeth and of the front teeth may contact the back of the protrusion during initial production of the impression.  
There are a number of different possibilities of designing the protrusion.  For example, the following designs are possible: 
-             the protrusion is only arranged at one side of the bottom plate (meaning the left side or the right side as corresponding to the left side and the right side of the jaw of the patient); 
-     the protrusion is designed to be shorter in the distal direction at one                           side; 
-     the protrusion is designed to be shorter in the distal direction at both                         sides; 
-             the protrusion is also designed to be enlarged in the mesial direction to contact the wall of the tray. 
In case of the above mentioned first, second and third design example of the protrusion, the protrusion is connected to an injection opening.  Preferably, the injection opening is located in the mesial portion of the bottom plate.  The correction impression material is pressed into the injection channel through the injection opening.  
The injection opening may be designed to be conical to improve introduction of correction impression material into the injection channel.  In this way, introduction of correction impression material is simplified by an improved adaptation of an injection needle to be connected to the injection channel.  When using outlet valves for producing negative pressure, this design of the injection openings results in the injection openings being closed in an air-sealed way.  
Preferably, deaerating openings are located in the bottom plate.  The deaerating openings allow for air, saliva, blood and surplus correction impression mass exiting the interior of the tray during production of the correction impression.  
Preferably, the deaerating channels are associated with outlet valves.  The outlet valves in combination with the deaerating channels serve to produce negative pressure in the region of the impression when the correction impression is taken.  The outlet valves are connected to the deaerating channels at the outer surface of the bottom plate before taking a correction impression with a correction impression material having low viscosity.  The outlet valves are designed to allow for passage of air in a direction from their valve foot being located above the deaerating channel towards their valve head being connected to a source of negative pressure.  For example, the source of negative pressure may be the suction device of the dental treatment equipment used by the dentist.  The outlet valves may have a certain range of control, or they may be designed to be freely controllable.  
The bottom plate may be designed as a reversible bottom plate including a plain surface opposed to the surface including the protrusion.  A variety of different embodiments of the reversible bottom plate is possible.  For example, these include the following designs: 
-             the reversible bottom plate is designed to be located within the outer shape of the tray; 
-             the reversible bottom plate includes a handle which is designed to be located within the outer shape of the handle of the tray; 
-             the reversible bottom plate includes a handle, whereas the tray does not include a handle; the handle of the reversible bottom plate also fulfills the function of the handle of the tray.  
The bottom plate and the protrusion may be designed as one piece, two pieces or a plurality of pieces.  Various embodiments are possible.  For example, these embodiments include the following configurations: 
-      the bottom plate and the protrusion are designed as one piece, 
-            in case of the protrusion and the bottom plate being designed as two separate pieces, the protrusion and the bottom plate are designed to be connectable in a detachable way, for example by a plug connection, magnets, and the like; 
-            in case of the protrusion and the bottom plate being designed as more than two pieces, the protrusion may be designed as a plurality of segments.  
In this way, various configurations of the protrusion may be realized by changing the arrangement of the segments of the protrusion.  For example, this includes configurations in which the segments of the protrusion are only located at the left side or at the right side of the bottom plate or to be shorter in the distal direction at one side or at both sides.  
The bottom plate and the protrusion may be made of various materials.  For example, they may be made of metal or plastic.  In case the bottom plate and the protrusion are designed as a plurality of pieces, it is possible that the bottom plate and the protrusion are made of different material.  
The impression tray may be used as a conventional impression tray after having completely removed the protrusion from the bottom plate.  
To simplify introduction of correction impression mass into the interior of the injection correction impression tray, especially when using the tray for making an impression of the upper jaw, it makes sense to arrange the injection inlet in the mesial wall of the tray.  Such an embodiment of the tray may also be called a frontal injection correction impression tray.  The bottom opening is enlarged to extend to the mesial bottom of the tray and to the mesial wall of the tray such that it forms a frontal injection opening.  In a corresponding way, the protrusion of the bottom plate is enlarged in a congruent way to the mesial wall of the tray.  The mesial portion of the protrusion is designed such that it closes the opening of the mesial wall of the tray.  
The bottom plate of the novel apparatus at one side includes the protrusion.  As described before, in case the bottom plate is designed as a reversible bottom plate, the other side of the bottom plate is designed to be plain, and the bottom plate may also be connected to the tray in its rotated position.  In another embodiment, the apparatus includes a second bottom plate having a plain surface which is used instead of a reverted bottom plate.  The reverted bottom plate and the second bottom plate with its plain surface, respectively, are used to close the bottom opening of the tray during introduction of correction impression material into the injection channel.  
The bottom plate may also be designed as a counter jaw impression bottom plate including a chamber for containing impression material for producing an impression of the counter jaw of the patient.  In this way, it is possible to produce impressions of both jaws of the patient with one apparatus.  For this purpose, the counter jaw bottom plate is designed such that it may be connected to the body of the tray in a reversible manner.  
The protrusion located at a bottom surface of the counter jaw bottom plate has a shape, design and arrangement which are similar to the one of the protrusion of the frontal reversible bottom plate.  The protrusion is designed to be detachable from the counter jaw bottom plate.  It is possible to arrange deaerating channels at suitable locations.  At the other side, the counter jaw impression bottom plate includes side walls which form a channel having the shape of an arc and serving to contain impression material for taking an impression of the counter jaw.  
In its functional condition for simultaneously taking the first impression of the first jaw and of the counter jaw, the counter jaw impression bottom plate is connected with the body of the tray in a way that its protrusion protrudes into the interior of the tray.  The channels of the frontal counter jaw impression bottom plate and the interior of the injection correction impression tray are filled with an impression material, they are introduced into the mouth of the patient and both jaws are moved into the impression materials until the impressions have hardened.  After hardening of the impressions, the apparatus is removed from the mouth of the patient, the counter jaw impression bottom plate is removed from the body of the tray, the protrusion is removed, a connection between the injection channel and the area of preparation is realized and the counter jaw impression bottom plate is reconnected to the body of the tray.  The surface of the counter jaw impression bottom plate not including a protrusion now forms the outer surface of the injection channel.  The apparatus is then reintroduced into the mouth of the patient.  The teeth and the jaw structures of both jaws are supported in the impressions, and they stabilize the position of the apparatus.  In the following, the correction impression material having a comparatively low viscosity is introduced into the injection channel and into the portion where the correction impression is made via the injection opening.  After hardening of the correction impression material, the impression within the body of the tray is filled to produce the correction impression model and the impression in the channel of the counter jaw impression bottom plate is filled to produce the counter jaw model.  
The channel for containing impression material for the counter jaw and the counter jaw impression bottom plate may be designed as one piece or as a plurality of pieces.  In the later case, the channel has an outer surface which is reversibly connectable to the plain surface of the bottom plate or to the tray.  
To increase stability of the body of the tray, the tray may include one or more stiffening elements.  The stiffening elements are designed to connect the inner side and the outer side of the bottom opening.  They protrude into the interior of the tray through the bottom opening at a suitable location.  Their design and arrangement corresponds to the cross section of the protrusion at this location.  In this way, the stiffening elements also serve to support the protrusion.  
Other features and advantages of the present invention will become apparent to one with skill in the art upon examination of the following drawings and the detailed description.  It is intended that all such additional features and advantages be included herein within the scope of the present invention, as defined by the claims.
BRIEF DESCRIPTION OF THE DRAWINGS
The invention can be better understood with reference to the following drawings.  The components in the drawings are not necessarily to scale, emphasis instead being placed upon clearly illustrating the principles of the present invention.  In the drawings, like reference numerals designate corresponding parts throughout the several views.
Fig. 1  is a top view of a first exemplary embodiment of the injection correction impression tray of the novel apparatus. 
Fig. 2  is a top view of a first exemplary embodiment of the bottom plate of the novel apparatus. 
Fig. 3  is a cross sectional view of an exemplary embodiment of the novel apparatus in the mounted position of the tray of Fig. 1 and the bottom plate of Fig. 2. 
Fig. 4  is a top view of a second exemplary embodiment of the injection correction impression tray of the novel apparatus. 
Fig. 5  is a top view of a second exemplary embodiment of the bottom plate of the novel apparatus         
Fig. 6  is a side view of an exemplary embodiment of an outlet valve of the novel apparatus.
DETAILED DESCRIPTION
Referring now in greater detail to the drawings, Figs. 1 to 3 illustrate a first exemplary embodiment of the novel apparatus 100 for producing dental impressions.  The illustrated exemplary embodiment of the novel apparatus 100 is used for producing an impression of a tooth 21 being contained in the upper jaw of a patient.  However, the apparatus 100 may also be used for taking impressions of the lower jaw or of both jaws.  The apparatus 100 includes an injection correction impression tray 110 illustrated in Fig. 1 and a bottom plate 120 illustrated in Fig. 2.  The mounted position of the bottom plate 120 at the injection correction impression tray 110 is illustrated in Fig. 3.  
The injection correction impression tray 110 has a body 2 and a tray handle 16.  The body 2 includes side walls and a bottom side which generally form the interior 17 of the injection correction impression tray 110 which serves to contain an impression material.  Especially, the impression material is an initial impression material 5 which serves for taking the first dental impression.  A bottom opening 1 is located in the region of the bottom side of the injection correction impression tray 110.  The bottom opening 1 generally has a shape corresponding to the arc of the injection correction impression tray 110 and of the jaw of which an impression is to be made.  In the illustrated exemplary embodiment, the bottom opening 1 includes three separate sections such that the material of the bottom surface of the tray 110 forms stiffening elements 22 extending between the side walls of the tray 110 to increase stability of the tray 110.  However, the bottom opening 1 may also have various different designs.  The tray 110 further includes connection elements 10 serving for connecting the bottom plate 120 to the tray 110.  In the illustrated embodiment, the tray 110 is designed as a frontal injection correction impression tray 110.  The tray 110 includes a frontal injection opening 7 serving for introduction of a correction impression material 3 into the interior 17 of the tray 110.  The tray 110 also includes deaerating channels 4. 
As it is especially to be seen in Fig. 2, the bottom plate 120 generally has a similar outer shape corresponding to the arc of the jaw as it has been described with respect to the tray 110.  The bottom plate 120 may include a handle 11.  However, it is also possible that the bottom plate 120 does not include a handle and/or that the tray 110 does not include the tray handle 16.  The bottom plate 120 includes a protrusion 18.  The protrusion 18 may be made as one piece or as a plurality of pieces with the remaining material of the bottom plate 120.  The protrusion 18 is arranged at the top side of the bottom plate 120 such that it extends out off the plane of illustration of Fig. 2 in an upward direction.  In the illustrated exemplary embodiment, the protrusion 18 includes a front portion 9.  The bottom plate 120 further includes connection elements 30 serving for connecting to the connection elements 10 of the tray 110. The bottom plate 120 includes deaerating channels 40 cooperating with the deaerating channels 4 of the tray 110 as it will be described herein below.
In the first mounted position of the apparatus 100, the bottom plate 120 is connected to the injection correction impression tray 110 in a way that the protrusion 18 protrudes into the interior 17 of the injection correction impression tray 110 to form an injection channel 15 for a correction impression material 3 to be later introduced into the apparatus 100.  In this first mounted position of the apparatus 100, the apparatus 100 being filled with the initial impression material 5 is introduced into the mouth of the patient.  The teeth of the patient enter the impression material 5 in a way that the impression material 5 is dislocated in a region outside of the portion of which an impression is to be made such that the impression material 5 seals gaps between the body 2 of the injection correction impression tray 110 and the bottom plate 120.  The impression material 5 then hardens, and the apparatus 100 is removed from the mouth of the patient.  In the following, the tooth which is to be prepared for a crown, a bridge or other dental prostheses is grinded to attain the stumb of a tooth or the snag 21 illustrated in Fig. 3.  
In the next step, the bottom plate 120 is removed from the injection correction impression tray 110.  The impression material 5 located between the prepared tooth stumb 21 and the injection channel 15 is removed.  In the illustrated exemplary embodiment, the bottom plate 120 is designed as a reversing bottom plate 19 which is rotated about 180° about its sagital axis to be reconnected to the tray 110 in the rotated position.  However, it is also possible not to use a reversing bottom plate 19, but to instead connect a second bottom plate to the tray 110.  Anyway, the bottom plate 120 now is located with respect to the tray 110 such that no protrusion faces the interior 17 of the tray 110.  The bottom plate 120 faces the interior 17 of the tray 110 with its substantially plain surface which now forms the outer limit of the injection channel 15 which had been produced by the protrusion 18 in the first position of the bottom plate 120 at the tray 110.  The injection opening 7 is now freely accessible for an introduction of correction impression material 3.
Figs. 4 and 5 illustrate another exemplary embodiment of the novel apparatus 100.  With respect to all common features, it is referred to the above description.  In this case, the bottom opening 1 of the tray 110 is designed as a continuous channel.  The bottom plate 120 is designed to be reversible and to include the injection opening 14.
Fig. 6 illustrates an exemplary embodiment of an outlet valve 50 of the novel apparatus 100.  Preferably, the outlet valve 50 is connected to the deaerating channels 40 being located at the bottom plate 120.  The outlet valves 50 include a valve foot 51, a valve body 52 and a valve head 52.  They are designed and arranged such that they allow for passage through the deaerating channels 4, 40 and the outlet valves 50 out off the apparatus 100.  A source of negative pressure (the suction device of the dental equipment, for example) is connected to the valve head 53 of the outlet valves 50.  The apparatus 100 is reintroduced into the mouth of the patient, and the teeth 20 and the jaw structures are supported in the impressions of the initial impression material 5 in a stabilized way.  The edges of the initial impression form an airtight and humidity tight seal.  An injection needle of an apparatus for applying correction impression material 3 is tightly connected to the injection opening 7 or 14.  In this way, hollow spaces located within the initial impression are closed in an airtight way.  The suction device produces negative pressure in the hollow spaces which results in correction impression material 3 delivered by the apparatus for supplying correction impression material 3 being sucked into the hollow spaces.  The liquid correction impression material 3 flows through the injection channel 15, and it reaches the tooth stumb 21.  It fills the hollow space between the complete shape of the tooth of the initial impression and the prepared tooth stumb 21, and it also flows into the sub-gingival preparation region.  Remainders of air, blood, saliva and surplus impression material are removed from the apparatus 100 via the deaerating channels 4, 40 and the outlet valves 50 by further introducing correction impression mass 3 in a controlled way.  After hardening of the correction impression material 3, the apparatus 100 is removed from the mouth of the patient, and the impression is used for casting a model for the manufacture of crowns, bridges and other dental prostheses as it is generally known in the art.
Many variations and modifications may be made to the preferred embodiments of the invention without departing substantially from the spirit and principles of the invention.  All such modifications and variations are intended to be included herein within the scope of the present invention, as defined by the following claims. 
CLAIMS
１            An apparatus for producing dental impressions, comprising: 
an injection correction impression tray (110), said injection correction impression tray (110) having an interior (17) being designed and arranged to contain impression material (5), said injection correction impression tray (110) including a bottom opening (1); and 
a bottom plate (120), said bottom plate (120) having a top side and a protrusion (18), said protrusion (18) being arranged at said top side, said bottom plate (120) being designed and arranged to be connectable to said injection correction impression tray (110) in a way that said protrusion (18) protrudes into the interior (17) of said injection correction impression tray (110) to form an injection channel (15) for a correction impression material (3). 
２            The apparatus of claim 1, characterized in that said bottom plate (120) is designed as a reversing bottom plate (19), said reversing bottom plate (19) having a bottom side, said bottom side being arranged opposed to said top side and being designed to be substantially plain, said reversing bottom plate (19) being designed and arranged to be connectable to said injection correction impression tray (110) in a way to close said bottom opening (1) by said plain bottom side. 
３            The apparatus of claim 1 or 2, characterized in that said protrusion (18) and said bottom plate (120) are designed as one piece. 
４            The apparatus of claim 1 or 2, characterized in that said protrusion (18) and said bottom plate (120) are designed as separate elements and to be connectable and separable. 
５            The apparatus of claim 1, characterized in that said protrusion (18) and said bottom plate (120) are designed as one piece and wherein said apparatus (100) further comprises a second bottom plate, said second bottom plate having a plain surface and being designed and arranged to be connectable to said injection correction impression tray (110) in a way to close said bottom opening (1) by said plain surface. 
６            The apparatus of at least one of claims 1 to 5, characterized in that said bottom plate (120) includes an injection opening (7, 14), said injection opening (7, 14) being designed and arranged to introduce correction impression material (3) into the interior (17) of said injection correction impression tray (110). 
７            The apparatus of claim 6, wherein said bottom plate (110) includes a plurality of deaerating channels (40), said deaerating channels (4) being designed and arranged allow for producing negative pressure in the interior (17) of said injection correction impression tray (110), the negative pressure resulting in correction impression material (3) being sucked into the interior (17) of said injection correction impression tray (110) through said injection opening (7, 14). 
８            The apparatus of at least one of claims 1 to 7, characterized in that said injection correction impression tray (110) includes a tray handle (16) and/or said bottom plate (120) includes a handle (11). 
９            The apparatus of at least one of claims 1 to 8, characterized in that said bottom plate (120) is designed as a counter jaw impression bottom plate, said counter jaw impression bottom plate having a bottom side facing away from said injection correction impression tray (110), said counter jaw impression bottom plate including a chamber being designed and arranged to contain impression material for producing an impression of a counter jaw, said chamber being arranged at said bottom side. 
１０            The apparatus of claim 9, wherein said counter jaw impression bottom plate and said chamber are designed as one piece, or as separate elements and to be connectable and separable. 
１１            The apparatus of at least one of claims 1 to 8, characterized in that said injection correction tray (110) has a body (2) and includes a fixing device (10), said fixing device (10) being designed and arranged to fixedly connect said bottom plate (120) to said body (2). 
１２            The apparatus of at least one of claims 1 to 11, characterized in that said injection correction impression tray (110) is designed as a frontal injection correction impression tray, said frontal injection correction impression tray including a mesial frontal injection opening (7) being connected to said bottom opening (1). 
１３            The apparatus of at least one of claims 1 to 12, further characterized by at least one stiffening element (22), said stiffening element (22) being designed and arranged to connect an inner side and an outer side of said bottom opening (1).
１４            The apparatus of at least one of claims 7 to 12, further characterized by a plurality of outlet valves (50), said outlet valves (50) being designed and arranged to be connectable to said deaerating channels (40) and to a source of negative pressure to produce the negative pressure in the interior (17) of said injection correction impression tray (110). 
ABSTRACT OF THE DISCLOSURE
An apparatus serves to produce dental impressions for the subsequent manufacture of crowns, bridges and other dental prostheses.  The apparatus serves to produce so called injection correction impressions of teeth contained in a jaw.  The apparatus includes an injection correction impression tray having an interior for containing impression material.  The tray includes a bottom opening.  The apparatus further includes a bottom plate having a top side and a protrusion.  The bottom plate is connectable to the tray in a way that the protrusion protrudes into the interior of the tray to form an injection channel for a correction impression material.
【図１】
2007068998.tif 000009
【図２】
2007068998.tif 000010
【図３】
2007068998.tif 000011
【図４】
2007068998.tif 000012
【図５】
2007068998.tif 000013
【図６】
2007068998.tif 000014